(57)【要約】【課題】相手ハウジングとハウジングとの嵌合状態における振動の伝播を防止することができるレバー式コネクタを提供する。【解決手段】フード部３を有する相手ハウジング５と、この相手ハウジング５のフード部３内に嵌合可能なハウジング７と、このハウジング７の外周に揺動可能に組付けられ揺動により相手ハウジング５のフード部３内にハウジング７を嵌合させ相手ハウジング５のフード部３内に収容されるレバー９とを備えたレバー式コネクタ１において、レバー９に、相手ハウジング５のフード部３の内壁面に向けてガタ止め部１１を突設し、ガタ止め部１１を、ハウジング７が相手ハウジング５のフード部３内に嵌合されるときに相手ハウジング５のフード部３の内壁面に圧接した。【選択図】図３
2018055861.tif 000002
【特許請求の範囲】
【請求項１】
フード部を有する相手ハウジングと、この相手ハウジングのフード部内に嵌合可能なハウジングと、このハウジングの外周に揺動可能に組付けられ揺動により前記相手ハウジングのフード部内に前記ハウジングを嵌合させ前記相手ハウジングのフード部内に収容されるレバーとを備えたレバー式コネクタであって、
前記レバーには、前記相手ハウジングのフード部の内壁面に向けてガタ止め部が突設され、
前記ガタ止め部は、前記ハウジングが前記相手ハウジングのフード部内に嵌合されるときに前記相手ハウジングのフード部の内壁面に圧接されることを特徴とするレバー式コネクタ。
【請求項２】
請求項１記載のレバー式コネクタであって、
前記ハウジングには、前記相手ハウジングのフード部の内壁面に向けてガタ止めリブが突設され、
前記ガタ止めリブは、前記ハウジングが前記相手ハウジングのフード部内に嵌合されるときに前記相手ハウジングのフード部の内壁面に圧接されることを特徴とするレバー式コネクタ。
【請求項３】
請求項２記載のレバー式コネクタであって、
前記ガタ止め部と前記ガタ止めリブとは、前記ハウジングの側面に対する位置が前記ハウジングの長さ方向に異なって配置されていることを特徴とするレバー式コネクタ。
【発明の詳細な説明】
【技術分野】
【０００１】
本発明は、レバー式コネクタに関する。
【背景技術】
【０００２】
従来、レバー式コネクタとしては、フード部を有する相手ハウジングと、この相手ハウジングのフード部内に嵌合可能なハウジングと、このハウジングの外周に揺動可能に組付けられ揺動により相手ハウジングのフード部内にハウジングを嵌合させ相手ハウジングのフード部内に収容されるレバーとを備えたものが知られている（例えば、特許文献１参照）。
【０００３】
このレバー式コネクタでは、相手ハウジングのフード部内にハウジングを嵌合させるときに、レバーを揺動させることにより相手ハウジングとレバーとの間に設けられたカムなどのてこ作用によって、相手ハウジングとハウジングとの嵌合力を低減することができる。
【先行技術文献】
【特許文献】
【０００４】
【特許文献１】特開２００９−１５２０６３号公報
【発明の概要】
【発明が解決しようとする課題】
【０００５】
ところで、上記特許文献１のようなレバー式コネクタでは、ハウジングに揺動可能に組付けられたレバーが相手ハウジングのフード部内に収容されるので、相手ハウジングのフード部とハウジングとの間にレバーを揺動させるための隙間が必要となる。
【０００６】
この相手ハウジングのフード部とハウジングとの間の隙間は、相手ハウジングとハウジングとの嵌合状態で、相手ハウジング、或いはハウジングに外力が加わると、その振動が互いに伝播される。
【０００７】
このような振動の伝播が生じると、相手ハウジングとハウジングとにそれぞれ収容され、相手ハウジングとハウジングとの嵌合状態で接続された複数の端子間の接点部に磨耗が生じ、電気抵抗が増大する恐れがあった。
【０００８】
そこで、この発明は、相手ハウジングとハウジングとの嵌合状態における振動の伝播を防止することができるレバー式コネクタの提供を目的としている。
【課題を解決するための手段】
【０００９】
請求項１記載の発明は、フード部を有する相手ハウジングと、この相手ハウジングのフード部内に嵌合可能なハウジングと、このハウジングの外周に揺動可能に組付けられ揺動により前記相手ハウジングのフード部内に前記ハウジングを嵌合させ前記相手ハウジングのフード部内に収容されるレバーとを備えたレバー式コネクタであって、前記レバーには、前記相手ハウジングのフード部の内壁面に向けてガタ止め部が突設され、前記ガタ止め部は、前記ハウジングが前記相手ハウジングのフード部内に嵌合されるときに前記相手ハウジングのフード部の内壁面に圧接されることを特徴とする。
【００１０】
このコネクタでは、レバーに突設されたガタ止め部が、ハウジングが相手ハウジングのフード部内に嵌合されるときに相手ハウジングのフード部の内壁面に圧接されるので、相手ハウジングとハウジングとが嵌合した状態で、相手ハウジングのフード部とハウジングとの間のレバーを揺動させるための隙間にガタ止め部が密着して配置される。
【００１１】
このため、相手ハウジングとハウジングとが嵌合した状態では、相手ハウジングとハウジングとがガタ止め部を介して一体に固定され、相手ハウジング、或いはハウジングに外力が加わっても、相手ハウジングとハウジングとが一体に振動し、一方の振動が他方に伝播されることがない。
【００１２】
従って、このようなレバー式コネクタでは、相手ハウジングとハウジングとの嵌合状態における振動の伝播を防止することができ、互いに収容されて接続された複数の端子間の接点部に磨耗が生じることを抑制でき、電気抵抗が増大することを抑制することができる。
【００１３】
請求項２記載の発明は、請求項１記載のレバー式コネクタであって、前記ハウジングには、前記相手ハウジングのフード部の内壁面に向けてガタ止めリブが突設され、前記ガタ止めリブは、前記ハウジングが前記相手ハウジングのフード部内に嵌合されるときに前記相手ハウジングのフード部の内壁面に圧接されることを特徴とする。
【００１４】
このレバー式コネクタでは、ハウジングに突設されたガタ止めリブが、ハウジングが相手ハウジングのフード部内に嵌合されるときに相手ハウジングのフード部の内壁面に圧接されるので、相手ハウジングとハウジングとの隙間をガタ止めリブによって直接的に埋めることができ、さらに相手ハウジングとハウジングとの嵌合状態における振動の伝播を防止することができる。
【００１５】
請求項３記載の発明は、請求項２記載のレバー式コネクタであって、前記ガタ止め部と前記ガタ止めリブとは、前記ハウジングの側面に対する位置が前記ハウジングの長さ方向に異なって配置されていることを特徴とする。
【００１６】
このレバー式コネクタでは、ガタ止め部とガタ止めリブとが、ハウジングの側面に対する位置がハウジングの長さ方向に異なって配置されているので、ハウジングの長さ方向の広い範囲で相手ハウジングとハウジングとの隙間を埋めることができ、相手ハウジングとハウジングとの嵌合状態における振動の伝播を安定して防止することができる。
【発明の効果】
【００１７】
本発明によれば、相手ハウジングとハウジングとの嵌合状態における振動の伝播を防止することができるレバー式コネクタを提供することができるという効果を奏する。
【図面の簡単な説明】
【００１８】
【図１】本発明の実施の形態に係るレバー式コネクタの斜視図である。
【図２】本発明の実施の形態に係るレバー式コネクタの正面図である。
【図３】図２のＸ−Ｘ断面図である。
【図４】図３の要部拡大図である。
【図５】本発明の実施の形態に係るレバー式コネクタの相手ハウジングの斜視図である。
【図６】本発明の実施の形態に係るレバー式コネクタのハウジングの斜視図である。
【図７】本発明の実施の形態に係るレバー式コネクタのハウジングの側面図である。
【図８】本発明の実施の形態に係るレバー式コネクタのレバーの斜視図である。
【図９】本発明の実施の形態に係るレバー式コネクタのハウジングにレバーを仮係止位置に組付けたときの側面図である。
【図１０】本発明の実施の形態に係るレバー式コネクタのハウジングに対してレバーが嵌合位置に揺動したときの側面図である。
【図１１】レバーの揺動ストロークに対する各部分での荷重変化を示す図である。
【発明を実施するための形態】
【００１９】
図１〜図１１を用いて本発明の実施の形態に係るレバー式コネクタについて説明する。
【００２０】
本実施の形態に係るレバー式コネクタ１は、フード部３を有する相手ハウジング５と、この相手ハウジング５のフード部３内に嵌合可能なハウジング７と、このハウジング７の外周に揺動可能に組付けられ揺動により相手ハウジング５のフード部３内にハウジング７を嵌合させ相手ハウジング５のフード部３内に収容されるレバー９とを備えている。
【００２１】
また、レバー９には、相手ハウジング５のフード部３の内壁面に向けてガタ止め部１１が突設されている。
【００２２】
そして、ガタ止め部１１は、ハウジング７が相手ハウジング５のフード部３内に嵌合されるときに相手ハウジング５のフード部３の内壁面に圧接される。
【００２３】
また、ハウジング７には、相手ハウジング５のフード部３の内壁面に向けてガタ止めリブ１３が突設されている。
【００２４】
そして、ガタ止めリブ１３は、ハウジング７が相手ハウジング５のフード部３内に嵌合されるときに相手ハウジング５のフード部３の内壁面に圧接される。
【００２５】
また、ガタ止め部１１とガタ止めリブ１３とは、ハウジング７の側面に対する位置がハウジング７の長さ方向に異なって配置されている。
【００２６】
図１〜図１０に示すように、相手ハウジング５は、合成樹脂などの絶縁性材料からなり、内部にハウジング７を嵌合可能なフード部３が設けられている。
【００２７】
この相手ハウジング５は、例えば、筐体部材１５内に収容された回路基板１７の表面に配置され、一端が回路基板１７の導体部に電気的に接続された複数の相手端子１９の他端がフード部３内に配置されている。
【００２８】
このような相手ハウジング５は、筐体部材１５の壁部に設けられた開口にフード部３が配置され、このフード部３内にハウジング７が嵌合される。
【００２９】
ハウジング７は、合成樹脂などの絶縁性材料からなり、筐体状に形成され、複数の端子収容室２１が形成されている。
【００３０】
このハウジング７の複数の端子収容室２１には、例えば、電源や機器などに接続された複数の電線（不図示）の端末部にそれぞれ設けられた複数の端子（不図示）が収容される。
【００３１】
このようなハウジング７は、相手ハウジング５のフード部３内に嵌合可能となっており、フード部３内に嵌合することによって、相手ハウジング５に収容された複数の相手端子１９と複数の端子とが電気的に接続される。
【００３２】
このようなハウジング７の両側面には、それぞれ外側に向けて円筒状に突出された回転軸２３，２５が設けられ、この回転軸２３，２５を介してハウジング７にレバー９が揺動可能に組付けられる。
【００３３】
レバー９は、合成樹脂などの絶縁性材料からなり、ハウジング７の幅方向にわたって配置される操作部２７と、この操作部２７の両端側に連続する一部材でそれぞれ形成されハウジング７の両側面にそれぞれ配置される一対の側板部２９，２９とを備え、操作部２７と一対の側板部２９，２９とでコ字状に形成されている。
【００３４】
操作部２７は、操作者が操作部２７を押圧することにより、ハウジング７に対してレバー９を揺動させることができる。
【００３５】
一対の側板部２９，２９には、ハウジング７の両側面に突設された回転軸２３，２５と対応する位置に回転軸２３，２５が挿通して係合される長穴状の摺動溝３１，３３がそれぞれ板厚方向に貫通して設けられている。
【００３６】
この摺動溝３１，３３の一端側に回転軸２３，２５が挿通して係合されることにより、レバー９がハウジング７に対して揺動可能に組付けられる。
【００３７】
このとき、ハウジング７とレバー９との間には、互いに係合可能な仮係止部３５が設けられており、仮係止部３５が係合することによって、ハウジング７と相手ハウジング５とが嵌合していない状態のハウジング７に対するレバー９の初期位置が保持される。
【００３８】
この初期位置に位置されたレバー９は、ハウジング７と相手ハウジング５との嵌合が完了する嵌合位置まで揺動可能とされている。
【００３９】
このレバー９が初期位置から嵌合位置まで揺動するとき、回転軸２３，２５は、摺動溝３１，３３の一端側から摺動溝３１，３３に沿って摺動溝３１，３３の他端側まで移動するように、摺動溝３１，３３の内部に配置されている。
【００４０】
このレバー９の一対の側板部２９，２９の外面には、相手ハウジング５のフード部３内に設けられた支点係合部（不図示）に係合可能な支点突起３７がそれぞれ設けられている。
【００４１】
このようなレバー９は、ハウジング７と相手ハウジング５とを嵌合するときに、ハウジング７をフード部３内に挿入し、支点突起３７とフード部３内の支点係合部とを係合させ、ハウジング７に対してレバー９を初期位置から嵌合位置に向けて揺動させる。
【００４２】
このレバー９の揺動により、支点突起３７と支点係合部との係合部を支点として、摺動溝３１，３３が回転軸２３，２５を押圧摺動し、ハウジング７が相手ハウジング５に押し込まれるように嵌合し、複数の相手端子１９と複数の端子とが電気的に接続される。
【００４３】
ここで、回転軸２５と摺動溝３３とは、相手ハウジング５とハウジング７との嵌合に対して主に寄与する部分であり、回転軸２３と摺動溝３１とは、回転軸２５と摺動溝３３との係合軌跡、すなわちレバー９の揺動軌跡を制御する部分となっている。
【００４４】
このようなレバー９の揺動軌跡を制御する回転軸２３と摺動溝３１とは、相手ハウジング５とハウジング７との嵌合に対して補助的に寄与しており、回転軸２５に加わる嵌合力を分散し、回転軸２５の破損を防止している。
【００４５】
このようにレバー９の揺動によって相手ハウジング５とハウジング７とを嵌合させることにより、相手ハウジング５とハウジング７との嵌合力を低減でき、嵌合作業性を向上することができる。
【００４６】
このようなレバー式コネクタ１において、外周にレバー９が揺動可能に組付けられたハウジング７は、レバー９と共に相手ハウジング５のフード部３内に収容される。
【００４７】
このため、相手ハウジング５のフード部３内には、レバー９を揺動可能とするための隙間が設定されており、相手ハウジング５とハウジング７とが嵌合した状態で、相手ハウジング５とハウジング７とレバー９との間にガタつきが生じてしまう。
【００４８】
そこで、ガタつきを防止するために、レバー９には、ガタ止め部１１が設けられ、ハウジング７には、ガタ止めリブ１３が設けられている。
【００４９】
ガタ止め部１１は、レバー９の一対の側板部２９，２９のそれぞれの外面から相手ハウジング５のフード部３の内壁面に向けて突設され、当接部３９と、圧接部４１とを備えている。
【００５０】
当接部３９は、側板部２９の外面からの突出方向の先端面となっており、側板部２９の外面と平行に配置されている。
【００５１】
この当接部３９は、レバー９がハウジング７に対して嵌合位置に揺動され、相手ハウジング５のフード部３内に収容された状態で、フード部３の開口縁部に当接される。
【００５２】
圧接部４１は、当接部３９から連続してレバー９の揺動方向に向けて下り傾斜となる傾斜面となっている。
【００５３】
この圧接部４１は、レバー９がハウジング７に対して嵌合位置に揺動し、相手ハウジング５のフード部３内に収容されるとき、フード部３の内壁面を押圧するように摺動する。
【００５４】
このような圧接部４１は、レバー９がハウジング７に対して嵌合位置に揺動され、相手ハウジング５のフード部３内に収容された状態で、フード部３の内壁面に圧接される。
【００５５】
このように圧接部４１をフード部３の内壁面に圧接することにより、フード部３内のレバー９を揺動させるための隙間が埋められ、相手ハウジング５とハウジング７とが嵌合した状態における相手ハウジング５とハウジング７とレバー９との間のガタつきを防止することができる。
【００５６】
なお、ガタ止め部１１は、フード部３の内壁面に圧接されるので、レバー９の一対の側板部２９，２９の剛性を高めるために、側板部２９の外面に設けられた補強リブ４３の外面に設けられている。
【００５７】
ここで、ガタ止め部１１は、図１１に示すように、レバー９の仮係止位置から嵌合位置までの揺動ストロークにおいて、相手端子１９と端子との挿入力変化を示す曲線４５におけるピークＡと、フード部３内にレバー９を係止するときの操作力変化を示す曲線４７におけるピークＢとの間の範囲Ｒにフード部３の内壁面にガタ止め部１１が圧接されるときの挿入力変化を示す曲線４９におけるピークＣが入るように、その形状が設定されている。
【００５８】
このようにガタ止め部１１の形状を設定することにより、レバー９の操作力変化を示す曲線５１のように、フード部３の内壁面に圧接されるガタ止め部１１をレバー９に設けたとしても、レバー９の操作力の増大を抑制することができる。
【００５９】
ガタ止めリブ１３は、ハウジング７の両側面からそれぞれ相手ハウジング５のフード部３の内壁面に向けて突設されている。
【００６０】
このガタ止めリブ１３は、ハウジング７がフード部３内に嵌合されるときに、フード部３の内壁面からハウジング７に向けて突設された被圧接部５３に当接され、ハウジング７がフード部３内に嵌合された状態で、被圧接部５３に圧接される。
【００６１】
このようなガタ止めリブ１３をハウジング７に設けることにより、相手ハウジング５とハウジング７との隙間をガタ止めリブ１３によって直接的に埋めることができ、さらに相手ハウジング５とハウジング７とのガタつきを安定して防止することができる。
【００６２】
このようなガタ止めリブ１３は、ハウジング７の側面に対する位置が、ガタ止め部１１とハウジング７の長さ方向に異なって配置されている。
【００６３】
このようにガタ止め部１１とガタ止めリブ１３とを配置することにより、ハウジング７の側面において、ハウジング７の長さ方向に片面２箇所（両面４箇所）でガタ止めを行うことができ、相手ハウジング５とハウジング７とのガタつきをより安定して防止することができる。
【００６４】
ここで、ハウジング７の両側面には、それぞれ相手ハウジング５のフード部３の内壁面に向けて第２ガタ止めリブ１４が突設されている。
【００６５】
この第２ガタ止めリブ１４は、ハウジング７の側面において、ガタ止めリブ１３が相手ハウジング５のフード部３の開口側に配置されているのに対して、相手ハウジング５のフード部３の嵌合方向前側である底部側に配置されるように設けられている。
【００６６】
このような第２ガタ止めリブ１４は、ガタ止めリブ１３と同様に、ハウジング７がフード部３内に嵌合されるときに、フード部３の内壁面に圧接される。
【００６７】
このようにハウジング７の嵌合方向両側にガタ止めリブ１３と第２ガタ止めリブ１４とを設けることにより、ハウジング７のより広い範囲でガタ止めを行うことができ、相手ハウジング５とハウジング７とのガタつきをより安定して防止することができる。
【００６８】
このようなレバー式コネクタ１では、レバー９に突設されたガタ止め部１１が、ハウジング７が相手ハウジング５のフード部３内に嵌合されるときに相手ハウジング５のフード部３の内壁面に圧接されるので、相手ハウジング５とハウジング７とが嵌合した状態で、相手ハウジング５のフード部３とハウジング７との間のレバー９を揺動させるための隙間にガタ止め部１１が密着して配置される。
【００６９】
このため、相手ハウジング５とハウジング７とが嵌合した状態では、相手ハウジング５とハウジング７とがガタ止め部１１を介して一体に固定され、相手ハウジング５、或いはハウジング７に外力が加わっても、相手ハウジング５とハウジング７とが一体に振動し、一方の振動が他方に伝播されることがない。
【００７０】
従って、このようなレバー式コネクタ１では、相手ハウジング５とハウジング７との嵌合状態における振動の伝播を防止することができ、互いに収容されて接続された複数の端子間の接点部に磨耗が生じることを抑制でき、電気抵抗が増大することを抑制することができる。
【００７１】
また、ハウジング７に突設されたガタ止めリブ１３は、ハウジング７が相手ハウジング５のフード部３内に嵌合されるときに相手ハウジング５のフード部３の内壁面に圧接されるので、相手ハウジング５とハウジング７との隙間をガタ止めリブ１３によって直接的に埋めることができ、さらに相手ハウジング５とハウジング７との嵌合状態における振動の伝播を防止することができる。
【００７２】
さらに、ガタ止め部１１とガタ止めリブ１３とは、ハウジング７の側面に対する位置がハウジング７の長さ方向に異なって配置されているので、ハウジング７の長さ方向の広い範囲で相手ハウジング５とハウジング７との隙間を埋めることができ、相手ハウジング５とハウジング７との嵌合状態における振動の伝播を安定して防止することができる。
【００７３】
なお、本発明の実施の形態に係るレバー式コネクタでは、ガタ止めリブがハウジングの外周面に２箇所設けられているが、これに限らず、レバーの揺動を阻害しない位置であれば、ガタ止めリブをハウジングの外周面に３箇所以上設けてもよい。
【符号の説明】
【００７４】
１…レバー式コネクタ
３…フード部
５…相手ハウジング
７…ハウジング
９…レバー
１１…ガタ止め部
１３…ガタ止めリブ
【図１】
2018055861.tif 000003
【図２】
2018055861.tif 000004
【図３】
2018055861.tif 000005
【図４】
2018055861.tif 000006
【図５】
2018055861.tif 000007
【図６】
2018055861.tif 000008
【図７】
2018055861.tif 000009
【図８】
2018055861.tif 000010
【図９】
2018055861.tif 000011
【図１０】
2018055861.tif 000012
【図１１】
2018055861.tif 000013